(57)【要約】【課題】本発明は、運転者に判りやすく、かつ軽自動車に対応した洗車料金を提示できる洗車設備を提供することを目的とする。【解決手段】被洗浄車両の運転者が操作する洗車機本体の操作装置に、被洗浄車両が軽自動車の場合の洗車コースおよびこのコースの洗車料金を提示した洗車コース設定スイッチ２１のスイッチ群３６を、普通車の場合のスイッチ群３５とは別に設ける。これにより、軽自動車の運転者は、迷うことなく、軽自動車の場合の洗車コース設定スイッチ２１のスイッチ群３６により、洗車料金を参照しながら洗車コースを選択でき、また軽自動車に対応した洗車料金を提示できる。【選択図】図１
2009241671.tif 000002
【特許請求の範囲】
【請求項１】
被洗浄車両と洗車機本体を相対移動しながら前記被洗浄車両の洗車を行う洗車設備であって、
前記被洗浄車両の洗車設備への進入経路に面して、前記被洗浄車両の運転者が操作する洗車機本体の操作手段を備え、
前記操作手段に、前記被洗浄車両が軽自動車の場合の洗車コースおよびこの洗車コースの洗車料金を提示した複数の洗車コース選択手段を、前記被洗浄車両が普通車の場合の洗車コース選択手段とは別に設けたこと
を特徴とする洗車設備。
【請求項２】
軽自動車の場合の洗車コース選択手段は、前記洗車料金を、黄色の地に黒色の文字を使用して提示し、普通車の場合の洗車コース選択手段は、前記洗車料金を、白色の地に緑色の文字を使用して提示すること
を特徴とする請求項１に記載の洗車設備。
【請求項３】
軽自動車の場合の洗車コース選択手段は、少なくとも被洗浄車両に対してコーティング剤を塗布する洗車コースに設けられること
を特徴とする請求項１または請求項２に記載の洗車設備。
【発明の詳細な説明】
【技術分野】
【０００１】
本発明は、被洗浄車両と洗車機本体を相対移動させて前記被洗浄車両の洗浄を行う洗車設備、特にセルフ洗車にて被洗浄車両の運転者に対して洗車料金の提示を行う洗車設備に関するものである。
【背景技術】
【０００２】
従来の上記セルフ洗車にて被洗浄車両の運転者に対して洗車料金の提示を行う洗車設備の一例が、特許文献１に開示されている。
この洗車設備は、床面に敷設された左右一対のレールに支持案内され、前後方向に往復移動しながら被洗浄車両を洗車する洗車機本体と、被洗浄車両の洗車スペース手前の進入口に面してその側方に配置された洗車受付装置を備え、洗車受付装置の前面に、洗車を希望する客（運転者）が被洗浄車両の運転席に座ったまま操作入力を行える操作パネルが設けられている。
【０００３】
前記操作パネルに、「普通車」「ジープタイプ」「ワゴン」といった車種毎に、ワックスがけ処理の有無等に「Ａ」「Ｂ」２種類の洗車コースが設定されたコース選択キーが配置され、これらの車種およびワックスがけ処理の有無に応じて、洗車料金が提示されている。
【特許文献１】特開平８−４０２１８号公報（図５）
【発明の開示】
【発明が解決しようとする課題】
【０００４】
しかし、従来の洗車設備では、車種およびワックスがけ処理の有無に応じて、洗車料金が提示されているが、操作パネルには、「Ａ」「Ｂ」が何を意味するのか提示されてなく、客は困惑してしまうという問題がある。
【０００５】
また省エネルギーの観点から、排気量６６０ｃｃ以下の軽自動車の台数が増加し、それに伴い、軽自動車に対する洗車料金に見直しが進められ、操作パネルに新体系の洗車料金に対応したキーの配置が要望されている。
【０００６】
そこで、本発明は、運転者に判りやすく、かつ軽自動車に対応した洗車料金を提示できる洗車設備を提供することを目的としたものである。
【課題を解決するための手段】
【０００７】
前述した目的を達成するために、本発明のうち請求項１に記載の発明は、被洗浄車両と洗車機本体を相対移動しながら前記被洗浄車両の洗車を行う洗車設備であって、前記被洗浄車両の洗車設備への進入経路に面して、前記被洗浄車両の運転者が操作する洗車機本体の操作手段を備え、前記操作手段に、前記被洗浄車両が軽自動車の場合の洗車コースおよびこの洗車コースの洗車料金を提示した複数の洗車コース選択手段を、前記被洗浄車両が普通車の場合の洗車コース選択手段とは別に設けたことを特徴とするものである。
【０００８】
上記構成によれば、操作手段に、普通車の場合の洗車コース選択手段とは別に、軽自動車の場合の洗車コース選択手段が設けられる。よって、軽自動車の運転者は、迷うことなく、軽自動車の場合の洗車コース選択手段により、洗車料金を参照しながら洗車コースを選択でき、また軽自動車に対応した洗車料金を提示できる。
【０００９】
また請求項２に記載の発明は、請求項１に記載の発明であって、軽自動車の場合の洗車コース選択手段は、前記洗車料金を、黄色の地に黒色の文字を使用して提示し、普通車の場合の洗車コース選択手段は、前記洗車料金を、白色の地に緑色の文字を使用して提示することを特徴とするものである。
【００１０】
上記構成によれば、軽自動車の料金が、軽自動車のナンバープレートの色彩に合わせて、「地」の色に黄色、文字の色に黒色を使用して提示され、普通車の料金が、普通車のナンバープレートの色彩に合わせて、「地」の色に白色、文字の色に緑色を使用して提示される。よって、軽自動車の料金を、普通車の料金と簡単に区別ができ、判りやすくできる。
【００１１】
また請求項３に記載の発明は、請求項１または請求項２に記載の発明であって、軽自動車の場合の洗車コース選択手段は、少なくとも被洗浄車両に対してコーティング剤を塗布する洗車コースに設けられることを特徴とするものである。
【００１２】
被洗浄車両に対してコーティング剤を塗布するコースでは、軽自動車と普通車では、コーティング剤の使用量が異なるため、料金を別々にする合理性がある。
上記構成によれば、コーティング剤を塗布するコースでは、軽自動車の場合と普通車の場合の洗車コース選択手段が別々に設けられ、軽自動車の場合には割安な料金が提示される。
【発明の効果】
【００１３】
本発明の洗車設備は、普通車の場合の洗車コース選択手段とは別に、軽自動車の場合の洗車コース選択手段が操作手段に設けられたことにより、軽自動車の運転者は、迷うことなく、軽自動車の場合の洗車コース選択手段により、洗車料金を参照しながら洗車コースを選択でき、また軽自動車に対応した洗車料金を提示できる、という効果を有している。
【発明を実施するための最良の形態】
【００１４】
以下、本発明の実施の形態を図面に基づいて説明する。
図３，図４に示すように、１は、床面に敷設された左右一対のレール２に支持案内されて前後方向Ｘに往復移動自在な洗車機本体であり、その往復移動は走行駆動装置３により行われる。また、洗車機本体１は、正面視において門型をしており、その内部には被洗浄車両である車両４をブラッシングする洗浄装置（図示せず）と、空気を噴出して車両４を乾燥する乾燥装置（図示せず）と、洗浄水、あるいは洗剤、あるいは複数の種類（本実施の形態では４種類）のコーティング剤を車両４に噴霧するスプレー装置（図示せず）を備え、またレール２に沿って配置された被検出体（図示せず）を検出することにより、洗車機本体１がレール２の始端位置のホームポジションＨＰ（原点）に位置することを検出するリミットスイッチからなるホームポジション検出スイッチ５と、洗車機本体１がレール２の終端位置のエンドポジションＥＰ（終点）に位置することを検出するリミットスイッチからなるエンドポジション検出スイッチ６が配設されている。
【００１５】
また、レール２に沿ってその内側に、洗車機本体１内を貫いて、洗車機本体１の前後方向Ｘとは直角な左右方向Ｙに一対のローラコンベヤ７が敷設されている。これら一対のローラコンベヤ７は、その左右方向Ｙの間隔を車両４の左右の車輪４Ａの間隔とし、各ローラコンベヤ７の左右方向の幅を、車両４の車輪４Ａの幅に余裕を持たせた幅としている。またこのローラコンベヤ７の正逆駆動は作動装置８により行われる。また一方のローラコンベヤ７に、車両４が所定の洗車開始時の車両停止位置に載ったことを、前記車両４の車輪４Ａの検出により判断する車載検出スイッチ１０が設けられている。
【００１６】
前記洗車機本体１の前面上方の中央部には、車両４の車高を検出する超音波センサからなる車高検出センサ１１が設けられ、また内部上方位置には、車両４の運転者に対し案内をアナウンスする第２スピーカ１２が設けられている。また前記レール２の始端位置の後方には、車両４の運転席から視認可能な位置に、退場誘導灯１３が設けられ、この退場誘導灯１３に従い洗車機本体１の後方を退場する車両４の通路に、車両４の通過を検出する一対の光電スイッチからなる車両退場検出スイッチ１４が設けられている。
【００１７】
前記ローラコンベヤ７の前端部の前方には、車両４の進入を阻止する遮断器１６が設けられ、さらに遮断器１６の前方に、洗車設備への車両４の進入通路（移動径路）Ｓが設けられ、遮断器１６の前側上方に、進入通路Ｓへの車両４の進入を検出する超音波センサからなる車両検出センサ１７が設けられ、進入通路Ｓに面してその側方に操作装置（操作手段の一例）１８が設けられている。
【００１８】
この操作装置１８は、図５に示すように、床面に固定された支持脚１９と、この支持脚１９の上端に設けられる、車両４の運転者に操作されるリモートパネル（操作パネル）２０により構成されている。このリモートパネル２０は車両４の運転席より操作できるように進入通路Ｓに面している。
【００１９】
リモートパネル２０には、図２に示すように、その左半分に自動洗車データを入力するスイッチとして、洗車コース設定スイッチ（設定キー）２１、車両４の車種を乗用車系、ワンボックス、ジープの３つのタイプの中から設定する車種設定スイッチ（設定キー）２２、車両４に特殊な装備品が取り付けてある場合に設定する装備品設定スイッチ（設定キー）２３、洗車コースおよび車種／装備品設定の確認およびスタートスイッチ２４、洗車コースおよび車種／装備品設定の訂正およびストップスイッチ２５が設けられ、また洗車料金の精算スイッチ２６が設けられている。
【００２０】
またリモートパネル２０の右半分には、洗車料金の払い込み装置とその金額の確認表示装置として、プリペイドカード点数または紙幣・コイン投入金額を表示するディジタル表示装置２７、プリペイドカード・リーダライタ２８、紙幣投入機２９、コイン投入機３０、つり銭の返却レバー３１、およびつり銭返却口３２が設けられている。
【００２１】
上記洗車コース設定スイッチ２１は、図１（ａ）に示すように、車両４が軽自動車の場合の洗車コースおよび洗車コースの洗車料金を提示した複数の洗車コース設定スイッチを、普通車の場合の洗車コース設定スイッチとは別に設けてあり、上段に車両４が普通車の場合のスイッチ群３５が設けられ、その下段の車両４が軽自動車の場合のスイッチ群３６が設けられている。
【００２２】
各スイッチ群３５，３６はそれぞれ、
洗車機本体１が前進する往路で水で洗浄し、洗車機本体１が後進する復路で乾燥する洗車コースを設定する水洗いコース設定スイッチ３７と、
洗車機本体１が前進する往路で水および洗剤で洗車し、さらに車両４の表面を保護するコーティング剤を塗布し、洗車機本体１が後進する復路で乾燥する洗車コースを設定するワックスコース設定スイッチ３８と、
洗車機本体１が前進する第１往路で水および洗剤で洗車し、洗車機本体１が後進する第１復路で乾燥し、続いて第２往路で車両４の表面を保護するとともに、撥水を可能とするコーティング剤（撥水コート剤）を塗布し、第２復路で乾燥する洗車コースを設定する撥水コートコース設定スイッチ３９と、
洗車機本体１が前進する第１往路で水および洗剤で洗車し、洗車機本体１が後進する第１復路で乾燥し、続いて第２往路で車両４の表面を保護するとともに、特殊水溶性シリコンの配合により超水玉撥水を可能とするコーティング剤（ＤＵコート剤）を塗布し、第２復路で乾燥する洗車コースを設定するＤＵコートコース設定スイッチ４０と、
洗車機本体１が前進する第１往路で水および洗剤で洗車し、洗車機本体１が後進する第１復路で乾燥し、続いて第２往路で車両４の表面を保護するとともに、鏡面ポリマーを形成するコーティング剤（Ｇプロテクト剤）を塗布し、第２復路で乾燥する洗車コースを設定するＧプロテクトコース設定スイッチ４１と
から構成されている。
【００２３】
また各設定スイッチ３７〜４１はそれぞれ、洗車コース名とこの洗車コースの洗車料金が印字され、各洗車コース毎に色が異なるプレート４３と、押釦スイッチ４４と、表示ＬＥＤ（ランプ）４５から構成されている。
【００２４】
また軽自動車の場合の洗車コース設定スイッチ群３６の各設定スイッチ３７〜４１では、プレート４３の洗車料金は、軽自動車のナンバープレートの色彩に合わせて、「地」を黄色、文字を黒色として提示され（黄色地に黒文字により提示され）、普通車の場合の洗車コース設定スイッチ群３５の各設定スイッチ３７〜４１では、プレート４３の洗車料金は、普通車のナンバープレートの色彩に合わせて、「地」を白色、文字を緑色として提示されている（白色地に緑文字により提示されている）。また軽自動車の洗車料金は、軽自動車は水、洗剤およびコーティング剤の使用量が少なく短時間で洗車が終了することから普通車の料金と比較して割安に設定されている。
【００２５】
また操作装置１８には、その支持脚１９に、運転者に対して車両４の洗車を進行するための案内をアナウンスする第１スピーカ４８が内蔵されている。
また、洗車機本体１の右方前面には、車両４内の運転者に対して進入および待機を指示する信号機５０がアーム５１を介して車両進入方向の手前側に突出した状態で取り付けられている。このアーム５１の一端は洗車機本体１にボルト，ナット（図示せず）を介して連結され、アーム５１の他端部は上向きに曲げられ、上記信号機５０はアーム５１の他端にボルト，ナット（図示せず）を介して取り付けられている。この信号機５０には、『進入して下さい』というメッセージが表示される進入回転灯（青色ランプ）５２と、『お待ち下さい』というメッセージが表示される待機回転灯（赤色ランプ）５３が設けられている。またアーム５１の途中には、斜め前方に向けた停止回転灯（赤色ランプ）５４と『赤ランプ点灯まで前進してください』が印字されたプレートを配置した停止パネル５５が取り付けられている。
【００２６】
前記洗車機本体１の前面側部には、図３，図４に示すように制御ボックス５６が設けられている。この制御ボックス５６には、操作装置１８（リモートパネル２０）より入力される操作信号に基づいて、洗車設備全体の洗車動作を実行する、マイクロコンピュータからなる制御装置（制御手段の一例）５７が配置されている。
【００２７】
上記制御装置５７には、図６に示すように、洗車機本体１に設けられている複数のセンサ群５９（例えば、上記各ポジション検出スイッチ５，６、車高検出センサ１１）、リモートパネル２０に設けた自動洗車データを入力するスイッチ２１〜２５、および洗車料金の払い込み装置とその金額の確認表示装置２６〜３１と、ローラコンベヤ７に設けた車載検出スイッチ１０と、車両検出センサ１７と、車両退場検出スイッチ１４より各検出信号と操作信号が入力される。制御装置５７は、これらの各検出信号と操作信号に基づいて、洗車機本体１に設けた走行駆動装置３、第２スピーカ１２、進入回転灯５２、待機回転灯５３、停止回転灯５４、洗浄装置、乾燥装置およびスプレー装置と、操作装置１８のリモートパネル２０に設けた洗車コース設定スイッチ２１の表示ＬＥＤ（ランプ）４５、洗車料金の払い込み装置とその金額の確認表示装置２７〜３１および第１スピーカ４８と、ローラコンベヤ７に設けた作動装置８と、退場誘導灯１３、遮断機１６へ制御信号を出力し、洗車設備全体の制御を行っている。
【００２８】
以下、制御装置５７による車両４の洗車時における洗車動作を、図７および図８のフローチャートにしたがって説明する。なお、制御装置５７には、第２スピーカ１２および第１スピーカ４８からアナウンスされる音声のデータが予め記憶されているものとする。また洗車コース設定スイッチ２１の普通車用スイッチ群３５と軽自動車用スイッチ群３６の各設定スイッチ３７〜４１（洗車コース）毎に洗車料金が予め設定されているものとする。
【００２９】
洗車開始前において、図３に実線で示すように、洗車機本体１はホームポジションＨＰに待機させており、遮断器１６を閉じた状態としている。まず、車両検出センサ１７により洗車を行う車両４を検出すると（ステップ−１）、『アンテナを下げラジオを消して下さい。』の案内、『ドアミラーをたたんで下さい。』の案内、続けて『カードまたは料金を入れて下さい。』の案内を第１スピーカ４８よりアナウンスする（ステップ−２）。
【００３０】
運転者は、このアナウンスによりアンテナを下げ、ドアミラーをたたんだ後、紙幣あるいは硬貨あるいはプリペイドカードにより料金を支払う。次に、プリペイドカード・リーダライタ２８、あるいは紙幣投入機２９、あるいはコイン投入機３０より料金あるいはカードの挿入が確認されると（ステップ−３）、投入された料金あるいはカードの残高により選択可能な洗車料金の洗車コースを選択しこれら設定スイッチ２１の表示ＬＥＤ（ランプ）４５を点灯し（ステップ−４）、『洗車コースボタンを押して下さい。』の案内を第１スピーカ４８よりアナウンスする（ステップ−５）。
【００３１】
運転者は、この案内により表示ＬＥＤ（ランプ）４５の点灯を確認して洗車コース設定スイッチ２１のスイッチ群３５，３６の各設定スイッチ３７〜４１により洗車コースを選択する。このとき、洗車コース設定スイッチ２１は、車両４が普通車の場合のスイッチ群３５と軽自動車の場合のスイッチ群３６に別けられ、且つ軽自動車の場合の洗車コース設定スイッチ群３６では、プレート４３の洗車料金は、黄色地に黒文字により提示され、普通車の場合の洗車コース設定スイッチ群３５では、プレート４３の洗車料金は、白色地に緑文字により提示されていることにより、普通車用と軽自動車用のスイッチ群３５，３６を簡単に識別でき、車両４が軽自動車か普通車かにより迷うことなく、洗車コースを選択できる。
【００３２】
次に洗車コース設定スイッチ２１の選択操作信号を確認すると（ステップ−６）、このコースにより前記料金の過不足を判断し（ステップ−７）、不足していると、『料金不足です。料金を追加して下さい。』の案内を第１スピーカ４８よりアナウンスする（ステップ−８）。このアナウンスに応じて、運転者は、プリペイドカード・リーダライタ２８、あるいは紙幣投入機２９、あるいはコイン投入機３０より追加料金あるいはカードの再挿入を行い、料金不足を解消する。
【００３３】
洗車料金を超えている場合には、洗車料金の精算スイッチ２６の操作信号を確認すると（ステップ−９）、硬貨によるとき、コイン投入機３０によりつり銭返却口３２へお釣りを支払わせ、カードのとき、プリペイドカード・リーダライタ２８によりカードを返却させ（ステップ−１０）、『カードをお取り下さい。』の案内を第１スピーカ４８よりアナウンスする（ステップ−１１）。
【００３４】
次に、『お車のタイプを選んで下さい。』の案内を第１スピーカ４８よりアナウンスする（ステップ−１２）。
運転者は、この案内により車種設定スイッチ（設定キー）２２より、乗用車系、ワンボックス、ジープの３つのタイプの中から車両４のタイプを選択する。
【００３５】
次に車両のタイプの選択操作信号を確認すると（ステップ−１３）、『装備品があれば該当するボタンを押して下さい。なければ確認ボタンを押して下さい。』の案内を第１スピーカ４８よりアナウンスする（ステップ−１４）。
【００３６】
運転者は、この案内により装備品設定スイッチ２３により装備品があれば該当するボタンを押し、なければ確認およびスタートスイッチ２４を押す。
次に装備品の該当ボタンの操作信号を確認すると（ステップ−１５）、『ほかの装備品がなければ確認ボタンを押して下さい。』の案内を第１スピーカ４８よりアナウンスする（ステップ−１６）。
【００３７】
運転者は、この案内により装備品設定スイッチ２３により装備品があれば再度該当するボタンを押し、なければ確認およびスタートスイッチ２４を押す。
次に、確認およびスタートスイッチ２４の操作信号を確認すると（ステップ−１７）、車載検出スイッチ１０がオフかどうかを確認し（ローラコンベヤ７上の車両４の有無を確認し）（ステップ−１８）、オフのとき、遮断器１６を開駆動し（ステップ−１９）、進入回転灯（青色ランプ）５２を点灯し、待機回転灯（赤色ランプ）５３を消灯し（ステップ−２０）、『赤い停止回転灯が点灯するまでゆっくり前進して下さい。』の案内を第１スピーカ４８よりアナウンスする（ステップ−２１）。
【００３８】
なお、上記ステップ−１〜ステップ−２１を実行する間に、洗車設備の異常が検出され、洗車機本体１が異常停止されると、『異常停止です。そのまましばらくお待ち下さい。』の案内（異常発生の案内）を第１スピーカ４８よりアナウンスする。
【００３９】
車両４の運転者は、進入回転灯（青色ランプ）５２の点灯を確認し、遮断器１６が開くと、車両４を前進させてローラコンベヤ７上へ乗り入れる。
次に車載検出スイッチ１０がオンかどうかを確認し（ステップ−２２）、車載検出スイッチ１０がオンとなると、停止回転灯（赤色ランプ）５４を点灯する（ステップ−２３）。
【００４０】
上記ステップ−２３にて、停止回転灯５４を点灯すると、『車を止めて下さい。ギヤをパーキングにしサイドブレーキを強くかけて下さい。』の案内を第２スピーカ１２よりアナウンスし（ステップ−２４）、遮断器１６を閉駆動し（ステップ−２５）、進入回転灯（青色ランプ）５２を消灯し、停止回転灯（赤色ランプ）５４を点灯する（ステップ−２６）。車両４の運転者は、停止回転灯５４が点灯すると車両４を停止させる。これにより、洗車開始時の車両停止位置へ車両４が停止され、次に第２スピーカ１２により、『窓を閉め終わってから、エンジンを止めて下さい。まもなく洗車が始まります。』の案内をアナウンスする（ステップ−２７）。
【００４１】
車両４の運転者は、このアナウンスにより窓を閉めて洗車の開始を待つ。
次に、走行駆動装置３により洗車機本体１を前方に駆動し（ステップ−２８）、作動装置８によりローラコンベヤ７を後方に作動させる（ステップ−２９）。これにより、洗車機本体１はレール２に支持案内されてホームポジションＨＰから前方へ走行移動し、往路における洗浄装置およびスプレー装置による所定の洗浄工程を行う（ステップ−３０）。このとき、ローラコンベヤ７は洗車機本体１と逆方向に作動され、車両４は洗車機本体１と逆方向に移動する（相対移動する）ため、洗車の際、洗車機本体１の移動距離を短縮して洗車し得る。
【００４２】
そして、エンドポジション検出スイッチ６が動作し、図３に２点鎖線で示すように、洗車機本体１がエンドポジションＥＰに到達したことを確認すると（ステップ−３１）、走行駆動装置３により洗車機本体１を後方に駆動し（ステップ−３２）、作動装置８によりローラコンベヤ７を前方に作動させる（ステップ−３３）。これにより、洗車機本体１はレール２に支持案内されてエンドポジションＥＰから後方へ走行移動し、復路における乾燥装置による所定の乾燥工程を行う（ステップ−３４）。このとき、ローラコンベヤ７は洗車機本体１と逆方向に作動されることから、車両４は逆方向の前方に移動する。
【００４３】
そして、設定された洗車コースによっては、上記往路の工程と復路の工程を繰り返す。
そして、最終洗車工程が終了し、洗車機本体１がホームポジションＨＰに戻ると（ステップ−３５）、洗車機本体１の走行駆動装置３を停止し（ステップ−３６）、退場誘導灯１３を点灯し（ステップ−３７）、『洗車終了しました。お車をゆっくり退出して下さい。』の案内を第２スピーカ１２よりアナウンスする（ステップ−３８）。
【００４４】
これにより、洗車機本体１はホームポジションＨＰで停止し、運転者は車両４を前進させ、ローラコンベヤ７より下ろして退場させる。車両４の移動（退場）により車両退場検出スイッチ１４がオンとなると（ステップ−３９）、退場誘導灯１３を消灯し（ステップ−４０）、終了する。
【００４５】
以上のように本実施の形態によれば、操作装置１８に、洗車コース設定スイッチ２１として普通車の場合の洗車コース設定スイッチ群３５とは別に、軽自動車の場合の洗車コース設定スイッチ群３６が設けられることにより、軽自動車の運転者は、迷うことなく、軽自動車の場合の洗車コース設定スイッチ群３６を使用して、洗車料金を参照しながら洗車コースを選択でき、また軽自動車に対応した洗車料金を提示できる。
【００４６】
また本実施の形態によれば、軽自動車の料金が、軽自動車のナンバープレートの色彩に合わせた、「地」の色に黄色、文字の色に黒色を使用して提示されることにより、普通車のナンバープレートの色彩に合わせた、「地」の色に白色、文字の色に緑色を使用した普通車の料金とは簡単に区別ができ、運転者に判りやすくできる。
【００４７】
なお、本実施の形態では、全ての洗車コースに対してそれぞれ、普通車用と軽自動車用の洗車コース設定スイッチ２１を別に設けているが、図１（ｂ）に示すように、少なくとも車両４に対してコーティング剤を塗布する洗車コースであるＤＵコートコースとＧプロテクトコースだけ、軽自動車用の洗車コース設定スイッチ４０’，４１’を別に設け、割安な料金を提示するようにしてもよい。
【００４８】
車両４に対してコーティング剤を塗布するコースでは、軽自動車と普通車では、コーティング剤の使用量が異なるため、料金を別々にする合理性があり、特に高価なコーティング剤を塗布するコース、すなわちＤＵコートコースとＧプロテクトコースでは、軽自動車の場合と普通車の場合の洗車コース設定スイッチが別々に設けられることにより、軽自動車の運転者に納得がいく割安な料金を提示することができる。またスイッチの数を減らすことができる。
【００４９】
また本実施の形態では、ローラコンベヤ７の前端部の前方に設けた遮断器１６の前側上方に、進入通路Ｓに面して操作装置１８を設けているが、図９および図１０に示すように、洗車機本体１’の前面部に支持脚（第２の支持部材の一例）１９’を介して、操作装置１８’を設けるようにしてもよい。このとき、車両４の進入経路Ｓは洗車機本体１’の前面部まで設定され、操作装置１８’は進入経路Ｓに面して備えられ、車両４の運転者は車両４を進入通路Ｓに進入させ、操作装置１８’の前に停車する。
【００５０】
図９，図１０に示す被洗浄車両１’は、車両４を跨ぎ、車両４の前後方向Ｘに走行する門型の洗車機本体であり、複数個の輪体６０を介して床面に敷設された一対のレール２の上を走行可能で、実行可能な複数の洗車コースの中から選択された一つの洗車コースに基づいて、車両４を跨いで前後方向Ｘへ移動しながら車両４の洗車を行う。また洗車機本体１’の前端部には、車両４の運転者に車両４の進入および停止を報知する手段として、青色ランプからなる進入回転灯５２’と赤色ランプからなる待機回転灯５３’が設けられている。
【００５１】
このような構成によれば、車両４がリモートパネル２０の操作位置１８’前に停車され、操作装置１８’の操作位置にて車両４の洗車が実行される。洗車設備の設置スペースは広くなるが、ローラコンベヤ７が不要となり、ローラコンベヤ７に掛かるコストを削減することができる。
【図面の簡単な説明】
【００５２】
【図１】本発明の実施の形態における洗車設備の洗車コース設定スイッチの配置図である。
【図２】同洗車設備の操作装置のリモートパネルの正面図である。
【図３】同洗車設備の側面図である。
【図４】同洗車設備の平面図である。
【図５】同洗車設備の操作装置の正面図である。
【図６】同洗車設備の制御構成図である。
【図７】同洗車設備の動作を制御するフローチャートである。
【図８】同洗車設備の動作を制御するフローチャートである。
【図９】本発明の他の実施の形態における洗車設備の側面図である。
【図１０】同洗車設備の正面図である。
【符号の説明】
【００５３】
１，１’    洗車機本体
２    レール
３    走行駆動装置
４    車両
１８  操作装置
２１  洗車コース設定スイッチ
２２  車種設定スイッチ
２３  装備品設定スイッチ
２４  確認およびスタートスイッチ
２５  訂正およびストップスイッチ
３５，３６  スイッチ群
３７  水洗いコース設定スイッチ
３８  ワックスコース設定スイッチ
３９  撥水コートコース設定スイッチ
４０，４０’  ＤＵコートコース設定スイッチ
４１，４１’  Ｇプロテクトコース設定スイッチ
４３  プレート
４４  押釦スイッチ
４５  表示ＬＥＤ
５７  制御装置
【図１】
2009241671.tif 000003
【図２】
2009241671.tif 000004
【図３】
2009241671.tif 000005
【図４】
2009241671.tif 000006
【図５】
2009241671.tif 000007
【図６】
2009241671.tif 000008
【図７】
2009241671.tif 000009
【図８】
2009241671.tif 000010
【図９】
2009241671.tif 000011
【図１０】
2009241671.tif 000012